(57)【要約】【課題】情報を通知する必要性が低い移動端末に情報を通知してしまう可能性を低くできる通信管理システム、通信管理方法およびプログラムを提供する。【解決手段】通信管理システムは、複数の地点を表す複数のノードと各ノード間を結ぶ道路を表す複数のリンクとを用いて道路網を表す道路地図情報を記憶する記憶手段と、移動端末の位置を把握する把握手段と、道路網上の指定位置を特定するための指定位置情報を受け付けると、指定位置に基づいて情報の送信対象エリアとなる道路エリアを画定する複数の画定部をリンクまたはノードに設定する特定手段と、把握手段にて把握された位置が画定部にて画定された道路エリアに含まれる該当移動端末に、所定の情報を送信する制御手段と、を含む。【選択図】図１
2014164394.tif 000002
【特許請求の範囲】
【請求項１】
複数の地点を表す複数のノードと、各ノード間を結ぶ道路を表す複数のリンクと、を用いて道路網を表す道路地図情報を記憶する記憶手段と、
移動端末単位で当該移動端末の位置を把握する把握手段と、
前記道路網上の指定位置を特定するための指定位置情報を受け付けると、前記指定位置に基づいて、情報の送信対象エリアとなる道路エリアを画定する複数の画定部を前記リンクまたは前記ノードに設定する設定手段と、
前記把握手段にて把握された位置が前記画定部にて画定された道路エリアに含まれる該当移動端末に、所定の情報を送信する制御手段と、を含む通信管理システム。
【請求項２】
請求項１に記載の通信管理システムにおいて、
前記道路エリアは、前記指定位置を含み、
前記道路エリア内の道路は、前記道路エリア内で前記指定位置につながっている、通信管理システム。
【請求項３】
請求項１または２に記載の通信管理システムにおいて、
前記制御手段は、前記該当移動端末に前記所定の情報を送信した後に新たに前記道路エリアに入った移動端末に対して、前記所定の情報を送信する、通信管理システム。
【請求項４】
請求項１から３のいずれか１項に記載の通信管理システムにおいて、
前記把握手段は、さらに前記移動端末の移動方向を把握し、
前記制御手段は、前記移動端末の位置および移動方向と前記道路地図情報と前記道路エリアとに基づいて、前記道路エリアに位置し前記指定位置が進行先の候補となる移動端末を、前記該当移動端末として特定する、通信管理システム。
【請求項５】
請求項１から４のいずれか１項に記載の通信管理システムにおいて、
前記ノードと前記リンクは、前記道路の車線単位に設けられている、通信監理システム。
【請求項６】
請求項１から５のいずれか１項に記載の通信管理システムにおいて、
前記設定手段は、前記指定位置の移動を表す移動情報を受け付けると、前記指定位置の移動に応じて、前記道路エリアを変更する、通信管理システム。
【請求項７】
請求項１から６のいずれか１項に記載の通信管理システムにおいて、
前記制御手段は、前記該当移動端末に送信する所定の情報を、当該該当移動端末と前記指定位置との間の距離に応じて変更する、通信監理システム。
【請求項８】
請求項１から７のいずれか１項に記載の通信管理システムにおいて、
前記設定手段は、さらに、前記所定の情報の種類を表す種別情報を受け付け、前記種類に応じて、前記道路エリアの広さを調整する、通信管理システム。
【請求項９】
複数の地点を表す複数のノードと各ノード間を結ぶ道路を表す複数のリンクとを用いて道路網を表す道路地図情報を記憶する記憶手段を含む通信管理システムが行う通信管理方法であって、
移動端末単位で当該移動端末の位置を把握する把握ステップと、
前記道路網上の指定位置を特定するための指定位置情報を受け付けると、前記指定位置に基づいて、情報の送信対象エリアとなる道路エリアを画定する複数の画定部を前記リンクまたは前記ノードに設定する設定ステップと、
前記位置が前記画定部にて画定された道路エリアに含まれる該当移動端末に、所定の情報を送信する制御ステップと、を含む通信管理方法。
【請求項１０】
コンピュータに、
複数の地点を表す複数のノードと、各ノード間を結ぶ道路を表す複数のリンクと、を用いて道路網を表す道路地図情報を記憶手段に記憶する記憶手順と、
移動端末単位で当該移動端末の位置を把握する把握手順と、
前記道路網上の指定位置を特定するための指定位置情報を受け付けると、前記指定位置に基づいて、情報の送信対象エリアとなる道路エリアを画定する複数の画定部を前記リンクまたは前記ノードに設定する設定手順と、
前記位置が前記画定部にて画定された道路エリアに含まれる該当移動端末に、所定の情報を送信する制御手順と、を実行させるためのプログラム。
【発明の詳細な説明】
【技術分野】
【０００１】
本発明は、通信管理システム、通信管理方法およびプログラムに関し、例えば、車両に搭載された移動端末と通信する通信管理システム、通信管理方法およびプログラムに関する。
【背景技術】
【０００２】
車載装置を用いた情報通信システムが知られている。例えば、特許文献１には、車載装置と、車載装置と通信する管理局と、を含む交通情報提供システムが記載されている。
【０００３】
特許文献１に記載の交通情報提供システムでは、管理局は、各車載装置から車載装置の位置情報を取得する。また、管理局は、いずれかの車載装置から異常状態の報告を受けた場合、異常状態を報告した車載装置の位置から半径５００ｍ以内のエリアに進入した車載装置に、異常状態を示す情報を送信する。
【先行技術文献】
【特許文献】
【０００４】
【特許文献１】特開２００４−２５１７１０号公報
【発明の概要】
【発明が解決しようとする課題】
【０００５】
特許文献１に記載の管理局は、異常状態を報告した車載装置の位置から半径５００ｍ以内に進入した車載装置に、異常状態を示す情報を送信する。
【０００６】
このため、例えば車載装置を搭載した車両が、駐車場付きの建物と隣接する高速道路上で事故を起こし異常状態の報告を行った場合、管理局は、高速道路上の車載装置だけでなく、事故を起こした車両から半径５００ｍ以内のエリアに位置する建物の駐車場内の車載装置、つまり、事故の影響を直接受けない車載装置にも、異常状態を示す情報を送信してしまう。
【０００７】
したがって、特許文献１に記載の交通情報提供システムでは、情報を通知する必要性が低い車載装置にも、情報を通知してしまう可能性が高い。
【０００８】
このため、情報を通知する必要性が低い移動端末に情報を通知してしまう可能性を低くするための手法が望まれていた。
【０００９】
本発明の目的は、上記課題を解決可能な通信管理システム、通信管理方法およびプログラムを提供することである。
【課題を解決するための手段】
【００１０】
本発明の通信管理システムは、
複数の地点を表す複数のノードと、各ノード間を結ぶ道路を表す複数のリンクと、を用いて道路網を表す道路地図情報を記憶する記憶手段と、
移動端末単位で当該移動端末の位置を把握する把握手段と、
前記道路網上の指定位置を特定するための指定位置情報を受け付けると、前記指定位置に基づいて、情報の送信対象エリアとなる道路エリアを画定する複数の画定部を前記リンクまたは前記ノードに設定する設定手段と、
前記把握手段にて把握された位置が前記画定部にて画定された道路エリアに含まれる該当移動端末に、所定の情報を送信する制御手段と、を含む。
【００１１】
本発明の通信管理方法は、
複数の地点を表す複数のノードと各ノード間を結ぶ道路を表す複数のリンクとを用いて道路網を表す道路地図情報を記憶する記憶手段を含む通信管理システムが行う通信管理方法であって、
移動端末単位で当該移動端末の位置を把握する把握ステップと、
前記道路網上の指定位置を特定するための指定位置情報を受け付けると、前記指定位置に基づいて、情報の送信対象エリアとなる道路エリアを画定する複数の画定部を前記リンクまたは前記ノードに設定する設定ステップと、
前記位置が前記画定部にて画定された道路エリアに含まれる該当移動端末に、所定の情報を送信する制御ステップと、を含む。
【００１２】
本発明のプログラムは、
コンピュータに、
複数の地点を表す複数のノードと、各ノード間を結ぶ道路を表す複数のリンクと、を用いて道路網を表す道路地図情報を記憶手段に記憶する記憶手順と、
移動端末単位で当該移動端末の位置を把握する把握手順と、
前記道路網上の指定位置を特定するための指定位置情報を受け付けると、前記指定位置に基づいて、情報の送信対象エリアとなる道路エリアを画定する複数の画定部を前記リンクまたは前記ノードに設定する設定手順と、
前記位置が前記画定部にて画定された道路エリアに含まれる該当移動端末に、所定の情報を送信する制御手順と、を実行させる。
【発明の効果】
【００１３】
本発明によれば、情報を通知する必要性が低い移動端末に情報を通知してしまう可能性を低くすることが可能になる。
【図面の簡単な説明】
【００１４】
【図１】本発明の一実施形態の通信管理システム１００を示した図である。
【図２】ノードとリンクで表された道路データの一例を示した図である。
【図３】リンクのデータの構造を示した図である。
【図４】ノードのデータの構造を示した図である。
【図５】把握部１０３による移動端末２００の位置および移動方向の把握状態を示した図である。
【図６】判断ゲート１０５ａの設定例を示した図である。
【図７】主に特定部１０５と制御部１０６の動作を説明するためのフローチャートである。
【図８】判断ゲート１０５ａと道路エリア１０５ｂの一例を示した図である。
【図９】指定位置がリンク上に位置する場合での該当移動端末の例を示した図である。
【図１０】指定位置がノード上に位置する場合での該当移動端末の例を示した図である。
【図１１】道路情報記憶部１０１と把握部１０３と特定部１０５と制御部１０６とからなる通信管理システムを示した図である。
【発明を実施するための形態】
【００１５】
以下、本発明の一実施形態について図面を参照して説明する。
【００１６】
図１は、本発明の一実施形態の通信管理システム１００を示した図である。通信管理システム１００は、単一あるいは複数の計算機にて構成される。
【００１７】
図１において、通信管理システム１００は、通信ネットワーク１を介して複数の移動端末２００と通信する。複数の移動端末２００は、それぞれ、車両３００に搭載された車々間通信機能を有する通信装置、または、携帯通信端末であり、通信ネットワーク１と接続する。
【００１８】
通信管理システム１００は、道路情報記憶部１０１と、通信部１０２と、把握部１０３と、受付部１０４と、特定部１０５と、制御部１０６と、を含む。
【００１９】
道路情報記憶部１０１は、記憶手段の一例である。
【００２０】
道路情報記憶部１０１は、道路網を表す道路地図情報を記憶する。本実施形態では、道路地図情報として、複数のノードと各ノード間を結ぶ複数のリンクとを用いて道路網を表す道路データが用いられる。各ノードは、道路網内の地点を表し、各リンクは、地点間の道路を表す。
【００２１】
図２は、ノードとリンクで表された道路データの一例を示した図である。図２において、道路データ１０１Ａは、ノードＮ１〜Ｎ５と、リンクＬ１〜Ｌ８と、を含む。
【００２２】
図３は、リンクのデータの構造を示した図である。図３において、リンクには、リンクの識別情報（以下「リンクＩＤ」と称する）、リンクの道路名、リンク長、道路幅、高速道路や国道等の道路種別、リンクの始点座標、リンクの終点座標、リンクの向き、および、リンク全体の座標の各データが設定されている。なお、リンクの道路名とリンク長と道路幅と道路種別は、省略されてもよい。
【００２３】
図４は、ノードのデータの構造を示した図である。図４において、ノードには、ノードの識別情報（以下「ノードＩＤ」と称する）、ノードの座標、および、そのノードに直接接続する全てのリンクのリンクＩＤ（接続リンクＩＤ）の各データが設定されている。
【００２４】
図１に戻って、通信部１０２は、各移動端末２００と通信する。
【００２５】
通信部１０２は、各移動端末２００から、移動端末２００の位置および移動方向を特定するための端末情報と、移動端末２００の識別情報（以下「端末ＩＤ」と称する）と、を受信する。本実施形態では、端末情報として、移動端末２００の位置情報と移動端末２００の移動方向情報とを含む情報が用いられる。また、通信部１０２は、緊急情報の送信が必要となった移動端末２００に、緊急情報を送信する。
【００２６】
緊急情報は、所定の情報の一例である。なお、所定の情報は、緊急情報に限らず適宜変更可能である。
【００２７】
把握部１０３は、把握手段の一例である。
【００２８】
把握部１０３は、通信部１０２が受信した端末情報および端末ＩＤに基づいて、各移動端末２００の位置および移動方向を把握する。
【００２９】
図５は、把握部１０３による移動端末２００の位置および移動方向の把握状態を示した図である。
【００３０】
図５では、端末ＩＤごとに、端末ＩＤと移動端末２００の位置と移動端末２００の移動方向とが互いに関連づけられている。
【００３１】
なお、把握部１０３は、各移動端末２００の移動方向を把握しなくてもよい。
【００３２】
図１に戻って、受付部１０４は、道路網上の任意の位置（例えば、指定された位置）を特定するための指定位置情報を受け付ける。以下、指定位置情報にて特定される位置を「指定位置」と称する。
【００３３】
指定位置としては、例えば、事故が発生した位置が用いられる。なお、指定位置は、事故が発生した位置に限らず適宜変更可能である。
【００３４】
受付部１０４は、操作者による不図示の入力部への操作に伴ってその入力部から指定位置情報を受け付けてもよいし、不図示の他の機器から指定位置情報を受け付けてもよい。受付部１０４は、受け付けられた指定位置情報を特定部１０５に出力する。
【００３５】
特定部１０５は、設定手段の一例である。
【００３６】
特定部１０５は、指定位置情報を受け付けると、道路データ１０１Ａが表す道路網から、緊急情報の送信対象エリアとなる道路エリアを、指定位置に基づいて特定する。なお、特定部１０５は、指定位置が含まれる道路エリアを特定する。また、特定部１０５にて特定された道路エリア内の道路（リンク）は、道路エリア内で指定位置につながっている。
【００３７】
本実施形態では、特定部１０５は、道路エリアの境界を画定する複数の判断ゲート１０５ａを、リンクまたはノードに設定する。
【００３８】
判断ゲート１０５ａは、画定部の一例である。
【００３９】
図６は、判断ゲート１０５ａの設定例を示した図である。図６では、指定位置（例えば、事故発生位置）Ｐ１にも、判断ゲート１０５ａの１つが設定されている。
【００４０】
特定部１０５は、道路エリアの特定結果を制御部１０６に出力する。
【００４１】
制御部１０６は、制御手段の一例である。
【００４２】
制御部１０６は、道路エリアの特定結果を受け付けると、把握部１０３にて把握された位置が道路エリアに含まれる移動端末（以下「該当移動端末」と称する）に、通信部１０２から緊急情報を送信する。
【００４３】
本実施形態では、制御部１０６は、把握部１０３にて把握された移動端末の位置および移動方向と、道路地図情報と、道路エリアとに基づいて、道路エリアに位置し指定位置が進行先の候補となる移動端末を、該当移動端末として特定する。
【００４４】
また、制御部１０６は、把握部１０３にて把握された移動端末の位置および移動方向と、道路地図情報と、道路エリアとに基づいて、該当移動端末に緊急情報を送信した後に新たに道路エリアに入った移動端末を特定し、その特定された移動端末に緊急情報を送信する。
【００４５】
移動端末２００は、記憶部２０１と、位置特定部２０２と、方向センサ２０３と、通信部２０４と、表示部２０５と、制御部２０６と、を含む。
【００４６】
記憶部２０１は、移動端末２００の端末ＩＤを記憶する。
【００４７】
位置特定部２０２は、移動端末２００の位置を特定する。位置特定部２０２は、例えば、衛星からの電波を用いて移動端末２００の位置を測定するＧＰＳ（Global Positioning System）のためのＧＰＳ受信機を有し、ＧＰＳ受信機を用いて移動端末２００の位置を特定する。
【００４８】
方向センサ２０３は、方位センサ等を有し、移動端末２００の移動方向を検出する。通信部２０４は、通信管理システム１００と通信する。表示部２０５は、種々の表示を実行する。
【００４９】
制御部２０６は、移動端末２００を制御する。
【００５０】
制御部２０６は、位置特定部２０２にて特定された移動端末２００の位置を表す位置情報と、方向センサ２０３にて検出された移動端末２００の移動方向を表す移動方向情報と、を含む端末情報を、定期的に生成する。なお、制御部２０６は、起動時にも端末情報を生成する。
【００５１】
制御部２０６は、端末情報を生成するごとに、その端末情報に記憶部２０１内の端末ＩＤを付加し、端末ＩＤが付加された端末情報を、通信部２０４から通信管理システム１００に送信する。
【００５２】
また、制御部２０６は、通信部２０４が緊急情報を受信すると、緊急情報に応じた表示を表示部２０５に実行する。
【００５３】
次に、動作を説明する。
【００５４】
まず、把握部１０３の動作を説明する。
【００５５】
各移動端末２００は、定期的に、移動端末２００の位置情報と移動端末２００の移動方向情報とを含む端末情報を生成し、その端末情報に端末ＩＤを付加し、端末ＩＤが付加された端末情報を、通信部２０４から通信管理システム１００に送信する。
【００５６】
通信管理システム１００では、通信部１０２は、端末ＩＤが付加された端末情報を受信する。通信部１０２は、端末ＩＤが付加された端末情報を受信すると、端末ＩＤが付加された端末情報を把握部１０３に出力する。
【００５７】
把握部１０３は、通信部１０２からの端末ＩＤが付加された端末情報を記憶することによって、移動端末２００の位置および移動方向を把握する（図５参照）。
【００５８】
次に、特定部１０５と制御部１０６の動作を説明する。
【００５９】
図７は、主に特定部１０５と制御部１０６の動作を説明するためのフローチャートである。
【００６０】
受付部１０４は、例えば、他の機器から、指定位置を示す指定位置情報を受け付けると、その指定位置情報を特定部１０５に出力する。
【００６１】
特定部１０５は、指定位置情報を受け付けると（ステップＳ７０１）、道路データ１０１Ａを参照し、道路データ１０１Ａが表す道路網上で、指定位置からの道路の距離（道のり）が既定距離となる地点と、指定地点とに、判断ゲート１０５ａを設定する（ステップＳ７０２）。規定距離は、適宜設定可能であり、特定部１０５に予め設定されている。
【００６２】
なお、特定部１０５は、指定位置に加えて規定距離も表す指定位置情報を受け付けた場合には、道路データ１０１Ａが表す道路網上で、指定位置からの道路の距離（道のり）が、指定位置情報に表された規定距離となる地点に、判断ゲート１０５ａを設定する。
【００６３】
続いて、特定部１０５は、複数の判断ゲート１０５ａを境界とする道路エリアを特定する（ステップＳ７０３）。
【００６４】
図８は、判断ゲート１０５ａと道路エリア１０５ｂの一例を示した図である。
【００６５】
続いて、特定部１０５は、道路エリア１０５ｂの特定結果を制御部１０６に出力する。
【００６６】
制御部１０６は、道路エリア１０５ｂの特定結果を受け付けると、把握部１０３にて把握された移動端末２００の位置および移動方向と、道路情報記憶部１０１内の道路データ１０１Ａと、道路エリア１０５ｂとに基づいて、道路エリア１０５ｂに位置し指定位置が進行先の候補となる移動端末２００を該当移動端末として特定する該当移動端末特定処理を実行する（ステップＳ７０４）。
【００６７】
ここで、該当移動端末特定処理の一例を説明する。
【００６８】
まず、指定位置がリンク上に位置する場合での該当移動端末特定処理を説明する。
【００６９】
制御部１０６は、まず、移動端末２００の位置と道路エリア１０５ｂと道路データ１０１Ａとに基づいて、道路エリア１０５ｂに位置する候補移動端末を特定する。
【００７０】
続いて、制御部１０６は、候補移動端末のうち、指定位置が存在するリンク（以下「対象リンク」と称する）に位置している移動端末２００については、移動方向が指定位置を向いている移動端末を、該当移動端末として特定する。
【００７１】
そして、制御部１０６は、候補移動端末のうち、対象リンク以外のリンクに位置している移動端末については、終点が直接的または間接的に対象リンクの始点と接続しているリンク（例えば、図８では、対象リンクＬ３の始点となるノードＮ２に終点が接続しているリンクＬ１、Ｌ６、Ｌ８）に位置している移動端末を、該当移動端末として特定する。
【００７２】
図９は、指定位置がリンク上に位置する場合での該当移動端末Ｔ１〜Ｔ４の例を示した図である。
【００７３】
次に、指定位置がノード上に位置する場合での該当移動端末特定処理を説明する。
【００７４】
制御部１０６は、まず、移動端末２００の位置と道路エリア１０５ｂと道路データ１０１Ａとに基づいて、道路エリア１０５ｂに位置する候補移動端末を特定する。
【００７５】
続いて、制御部１０６は、候補移動端末のうち、終点が指定位置のノードと直接接続しているリンク（以下「直接接続リンク」と称する）に位置している移動端末と、直接接続リンクの始点となるノードに終点が直接的または間接的に接続しているリンクに位置している移動端末とを、該当移動端末として特定する。
【００７６】
図１０は、指定位置がノード上に位置する場合での該当移動端末Ｔ１、Ｔ３、Ｔ５、Ｔ６の例を示した図である。
【００７７】
制御部１０６は、ステップＳ７０４の該当移動端末特定処理を終了すると、該当移動端末２００に、緊急情報を通信部１０２から送信する（ステップＳ７０５）。
【００７８】
続いて、制御部１０６は、移動端末２００の位置と道路エリア１０５ｂと道路データ１０１Ａとに基づいて、ステップＳ７０５を実行した後に道路エリア１０５ｂに新たに入った移動端末を特定し、その特定された移動端末に、緊急情報を送信する（ステップＳ７０６）。以降、道路エリアがリセットされるまで、制御部１０６は、ステップＳ７０６を繰り返す。
【００７９】
次に、本実施形態の効果を説明する。
【００８０】
本実施形態によれば、道路情報記憶部１０１は、複数の地点を表す複数のノードと各ノード間を結ぶ道路を表す複数のリンクとを用いて道路網を表す道路データを記憶する。把握部１０３は、移動端末単位で移動端末の位置を把握する。特定部１０５は、指定位置を特定するための指定位置情報を受け付けると、指定位置に基づいて、情報の送信対象エリアとなる道路エリアを画定する複数の判断ゲート１０５ａをリンクまたはノードに設定する。制御部１０６は、把握部１０３にて把握された位置が判断ゲートにて画定された道路エリア内である該当移動端末に、緊急情報を送信する。
【００８１】
このため、緊急情報を、緊急情報を必要とする可能性が高い道路エリアに位置する移動端末に送信することができ、緊急情報を通知する必要性が低い移動端末に緊急情報を送信することを抑制可能となる。
【００８２】
なお、この効果は、道路情報記憶部１０１と把握部１０３と特定部１０５と制御部１０６とからなる通信管理システムでも奏する。
【００８３】
図１１は、道路情報記憶部１０１と把握部１０３と特定部１０５と制御部１０６とからなる通信管理システムを示した図である。
【００８４】
本実施形態では、道路エリアは指定位置を含み、道路エリア内の道路は、道路エリア内で指定位置につながっている。このため、指定位置につながる周囲の道路に位置する移動端末、つまり、指定位置に来る可能性が高い移動端末に緊急情報を送信することが可能になる。
【００８５】
本実施形態では、制御部１０６は、該当移動端末に緊急情報を送信した後に新たに道路エリアに入った移動端末に対して、緊急情報を送信する。
【００８６】
このため、道路エリアに位置する移動端末に対しては緊急情報が一度送信され、同一の緊急情報が、道路エリアに位置する移動端末に複数回送信されることを防止することが可能になる。
【００８７】
本実施形態では、制御部１０６は、移動端末の位置および移動方向と道路データと道路エリアとに基づいて、道路エリアに位置し指定位置が進行先の候補となる移動端末を、該当移動端末として特定する。
【００８８】
このため、道路エリアに位置している移動端末のうち、指定位置に向かってくる可能性の高い移動端末に対して、緊急情報を送信することが可能になる。
【００８９】
なお、道路データとして、ノードとリンクが道路の車線単位に設けられている車線対応道路データが用いられてもよい。
【００９０】
例えば、図２に示したリンクＬ８が、直進と左折が可能な車線に対応するリンクＬ８ａと右折専用車線に対応するリンクＬ８ｂによって構成される場合、リンクＬ８ｂの終点とリンクＬ５の始点は同一のノードに接続するが、リンクＬ８ａの終点とリンクＬ５の始点は同一のノードに接続しなくなる。
【００９１】
このため、例えば、図２に示した道路網全体が道路エリアとして特定された状況で、指定位置に設定されたノードＮ４に向かう移動端末としては、リンクＬ８に存在する移動端末２００のうち、リンクＬ８ｂに存在する移動端末２００を特定することが可能になる。
【００９２】
したがって、道路データとして車線対応道路データが用いられた場合には、指定位置に向かう可能性が非常に高い移動端末を、該当移動端末として特定することが可能になる。
【００９３】
なお、特定部１０５は、指定位置の移動を表す移動情報を受け付けると、指定位置の移動に応じて、道路エリアを変更してもよい。
【００９４】
例えば、指定位置として緊急車両の位置が用いられ、緊急車両の移動位置を表す移動情報が用いられた場合、緊急車両の移動に伴って、道路エリアを変更することが可能になる。
【００９５】
また、指定位置情報としては、指定位置を表す指定位置情報の他に、指定位置に予め対応づけられた特定位置（例えば、指定位置の近傍に建つ商業施設の位置）を表す指定位置情報が用いられてもよい。この場合、特定部１０５は、指定位置と特定位置との対応関係を表す対応関係情報を予め記憶しておき、特定位置を表す指定位置情報を受け付けた際に、対応関係情報を参照して、指定位置を特定する。
【００９６】
例えば、指定位置の近傍に建つ商業施設の位置を特定位置として表す指定位置情報が用いられた場合、所定の情報としては、商業施設の広告情報が用いられてもよい。この場合、商業施設に向かっている移動端末や商業施設の近傍を通過する可能性のある移動端末に、商業施設の広告を提供することが可能になる。
【００９７】
また、制御部１０６は、該当移動端末に送信する所定の情報を、該当移動端末と指定位置との間の距離に応じて設定してもよい。
【００９８】
例えば、指定位置が事故現場の位置である場合、指定位置に近くなるほど高い危険度を知らせる情報をすることが可能になる。また、指定位置が商業施設の近傍の位置である場合、商業施設に近づくほど、具体的になる商品の情報を提供することが可能になる。
【００９９】
また、特定部１０５は、さらに、送信される所定の情報の種類を表す種別情報を受け付け、その種類に応じて道路エリアの広さを調整してもよい。
【０１００】
例えば、特定部１０５は、種別情報が大規模な事故を知らせる事故情報を表す場合、種別情報が店舗を知らせる店舗情報を表す場合よりも、道路エリアを広くする。
【０１０１】
この場合、所定の情報の種類に応じて道路エリアの広さを変更することが可能になる。
【０１０２】
また、本実施形態において、通信管理システム１００は、コンピュータにて実現されてもよい。この場合、このコンピュータは、コンピュータにて読み取り可能なＣＤ−ＲＯＭ（Compact Disk Read Only Memory）のような記録媒体に記録されたプログラムを読込み実行して、または、有線通信または無線通信で受信したプログラム（例えばアプリケーションプログラム）を受信し実行して、通信管理システムとして機能する。記録媒体は、ＣＤ−ＲＯＭに限らず適宜変更可能である。
【０１０３】
以上説明した実施形態において、図示した構成は単なる一例であって、本発明はその構成に限定されるものではない。
【符号の説明】
【０１０４】
１００      通信管理システム
１０１      道路情報記憶部
１０２      通信部
１０３      把握部
１０４      受付部
１０５      特定部
１０６      制御部
２００      移動端末
２０１      記憶部
２０２      位置特定部
２０３      方向センサ
２０４      通信部
２０５      表示部
２０６      制御部
３００      車両
【図１】
2014164394.tif 000003
【図２】
2014164394.tif 000004
【図３】
2014164394.tif 000005
【図４】
2014164394.tif 000006
【図５】
2014164394.tif 000007
【図６】
2014164394.tif 000008
【図７】
2014164394.tif 000009
【図８】
2014164394.tif 000010
【図９】
2014164394.tif 000011
【図１０】
2014164394.tif 000012
【図１１】
2014164394.tif 000013